(57)【要約】【課題】フラットケーブルの被取付体への取り付けならびに取り外しを容易にすること。【解決手段】フラットケーブル１０を被取付体に着脱自在に取り付ける取付部材３０であって、基部３１と、基部３１の一つの面から突出し、その先端部にフラットケーブル１０の電線を係止する爪部を有する複数の電線係止突起３２と、基部３３の両端から、電線係止突起３２が突出する側に、前記面に対して鈍角を成して延びる複数の係止片３３と、を備え、フラットケーブル１０に形成された孔１２から一部の電線係止突起３２を突き出し、爪部と基部の前記面との間にフラットケーブル１０の電線を係止するとともに、係止片３３を被取付体に突き刺してフラットケーブル１０を被取付体に取り付ける。被取付体に突起や貫通孔等を予め設ける必要がなく、被取付体の任意の部分に容易に取り付けることができる。【選択図】図１
2007074804.tif 000002
【特許請求の範囲】
【請求項１】
被取付体に着脱自在に取り付けられるフラットケーブル取付部材であって、基部を備え、フラットケーブルを係止するための部分と複数の係止片とを前記基部に有し、前記フラットケーブルを係止するための部分で前記フラットケーブルを係止することにより前記フラットケーブルに取り付けられた状態で、前記複数の係止片の先端部それぞれを前記被取付体に穴を形成するように突き刺すことにより前記フラットケーブルを前記被取付体に取り付けることを特徴とするフラットケーブル取付部材。
【請求項２】
並行に配置された複数の電線部と、それら複数の電線部の絶縁外皮間を繋ぐように当該絶縁外皮に一体的に形成されたブリッジ部と、該ブリッジ部に形成された孔と、を有するフラットケーブルを、被取付体に着脱自在に取り付けるためのフラットケーブル取付部材であって、
基部と、
前記基部の厚さ方向の両側面の一方上に形成され、且つ前記フラットケーブルを係止するための爪部が形成された先端部を有する複数の電線係止突起と、
前記基部の幅方向の両側面から突出するように前記基部と一体成形された基端部を有する複数の係止片と、
を備え、
前記複数の係止片が前記基部の幅方向の両側面の少なくとも一方に間隔をあけて並べられ、そして
前記電線係止突起のうち少なくとも一つが前記フラットケーブルの前記孔を貫通して爪部を前記フラットケーブルから突出させるとともに前記フラットケーブルが前記爪部と前記基部の厚さ方向の両側面の一方との間で係止されるように前記フラットケーブルに取り付けられた状態で、前記複数の係止片の先端部それぞれを前記被取付体に穴を形成するように突き刺すことにより前記フラットケーブルを前記被取付体に取り付けることを特徴とするフラットケーブル取付部材。
【請求項３】
前記複数の係止片の先端部の長手方向と交差する方向に当該先端部から突出する引っ掛け突部を更に備え、
前記被取付体に取り付けられる際に前記引っ掛け突部が前記被取付体に引っ掛かることを特徴とする請求項２に記載したフラットケーブル取付部材。
【請求項４】
前記複数の係止片が、前記基部の幅方向の両側面のうち前記基端部の配置されている側面に向かって前記基部の長さ方向の一端部側の前記先端部の側縁に、前記引っ掛け突部を有することを特徴とする請求項３に記載したフラットケーブル取付部材。
【請求項５】
前記複数の係止片は、それらの先端部が前記基部の厚さ方向の両側面の他方の延長方向と交差する方向に延長するように、曲がった形を有し、そして
前記基部の厚さ方向の両側面の他方に対して前記複数の係止片の先端部各々が形成する角度が鈍角であることを特徴とする請求項２〜４のいずれか一項に記載したフラットケーブル取付部材。
【請求項６】
前記複数の係止片の先端部が鋭角に先細りしていることを特徴とする請求項２〜５のいずれか一項に記載したフラットケーブル取付部材。
【請求項７】
前記電線係止突起は前記爪部の突出する向きが前記フラットケーブルの長手方向に沿って交互に逆向きとなるように前記基部上に並んで配置されていることを特徴とする請求項２〜６のいずれか一項に記載したフラットケーブル取付部材。
【発明の詳細な説明】
【技術分野】
【０００１】
本発明は、例えば、ＦＦＣ｛即ち、Ｆｌｅｘｉｂｌｅ  Ｆｌａｔ  Ｃａｂｌｅ（フレキシブルフラットケーブル）｝、リボン電線、等といった可撓性を有するフラットケーブルを車両等の被取付体に取り付けるために該フラットケーブルに取り付けられるフラットケーブル取付部材に係り、特に、被取付体に対するフラットケーブルの取り付けや取り外しを容易にするフラットケーブル取付部材に関する。
【背景技術】
【０００２】
可撓性を有するフラットケーブルを被取付体へ取り付けるための取付構造に関しては、様々な提案が従来から行なわれている。
【０００３】
それらの提案の一例として、フラットケーブル（ＦＰＣハーネス）の穴に被取付体（ドアトリム）の樹脂製突起を挿入し、そして該穴から突出した該突起の先端部を発熱体により溶かして溶着部を形成することにより、フラットケーブルを被取付体に固定する取付構造が知られている（特許文献１参照）。
【０００４】
この構造では、被取付体の突起の先端部を溶かすのに、特別な溶着専用設備を要し、その上時間も掛かるため、被取付体へのフラットケーブルの取り付け作業が煩雑になる。また、被取付体の突起の先端部がフラットケーブルに溶着されるため、リサイクル面を考慮した場合、解体作業に時間がかかる。従って、被取付体からのフラットケーブルの取り外し作業が煩雑である。また、被取付体自体に溶着用の突起を予め設ける必要があり、被取付体の設計時に、それを考慮しなければならない。
【０００５】
また、他の一例として、フラットケーブル（フラットハーネス）の幅方向の両側に係止片（車体係止部を有する連結片）を一体成形あるいは溶着や接着しておき、被取付体（車体パネル）に設けられた貫通孔（スリット）に車体係止部を挿入係止する構造も提案されている（特許文献２参照）。
【０００６】
特許文献２による提案では、被取付体からのフラットケーブルの取り外しは比較的容易ではあるものの、被取付体自体に予め貫通孔を形成しておかねばならず、被取付体の設計時に、それを考慮せねばならない。
【特許文献１】特開２００２−１５１８６７号公報（図３）
【特許文献２】特開２００２−３５８８３８号公報（図１，図３）
【発明の開示】
【発明が解決しようとする課題】
【０００７】
本発明は、上述した事情に鑑みてなされたものであり、その目的は、フラットケーブルに取り付けられ、フラットケーブルの被取付体への取り付け作業および被取付体からの取り外し作業を容易にし、且つ、被取付体に突起や貫通孔等を予め設けることを必要としないフラットケーブル取付部材を提供することにある。
【課題を解決するための手段】
【０００８】
前述した目的を達成するため、本発明に係るフラットケーブル取付部材は、下記（１）を特徴としている。
（１）  被取付体に着脱自在に取り付けられるフラットケーブル取付部材であって、基部を備え、フラットケーブルを係止するための部分と複数の係止片とを前記基部に有し、前記フラットケーブルを係止するための部分で前記フラットケーブルを係止することにより前記フラットケーブルに取り付けられた状態で、前記複数の係止片の先端部それぞれを前記被取付体に穴を形成するように突き刺すことにより前記フラットケーブルを前記被取付体に取り付けること。
【０００９】
上記（１）の構成のフラットケーブル取付部材によれば、その複数の係止片の先端部を被取付体に穴を形成するように突き刺しながら取り付けられるので、被取付体に突起や貫通孔等を予め設ける必要がなく、フラットケーブルを被取付体の任意の部分に且つ容易に取り付けることができる。また、フラットケーブル取付部材が取り付けられていないフラットケーブルの部分は曲げることが容易であるため、被取付体上でフラットケーブルの曲げを要する配索作業が容易なものとなる。また、フラットケーブル取付部材は、複数の係止片によって被取付体に取り付けられるので、取り付けが容易であるにも拘わらず、しっかりと確実に取り付けることができる。
【００１０】
また、本発明に係るフラットケーブル取付部材は、より詳細には、下記（２）〜（９）を特徴としている。
（２）  並行に配置された複数の電線部と、それら複数の電線部の絶縁外皮間を繋ぐように当該絶縁外皮に一体的に形成されたブリッジ部と、該ブリッジ部に形成された孔と、を有するフラットケーブルを、被取付体に着脱自在に取り付けるためのフラットケーブル取付部材であって、
基部と、
前記基部の厚さ方向の両側面の一方上に形成され、且つ前記フラットケーブルを係止するための爪部が形成された先端部を有する複数の電線係止突起と、
前記基部の幅方向の両側面から突出するように前記基部と一体成形された基端部を有する複数の係止片と、
を備え、
前記複数の係止片が前記基部の幅方向の両側面の少なくとも一方に間隔をあけて並べられ、そして
前記電線係止突起のうち少なくとも一つが前記フラットケーブルの前記孔を貫通して爪部を前記フラットケーブルから突出させるとともに前記フラットケーブルが前記爪部と前記基部の厚さ方向の両側面の一方との間で係止されるように前記フラットケーブルに取り付けられた状態で、前記複数の係止片の先端部それぞれを前記被取付体に穴を形成するように突き刺すことにより前記フラットケーブルを前記被取付体に取り付けること。
（３）  上記（１）のフラットケーブル取付部材において、
前記複数の係止片の先端部の長手方向と交差する方向に当該先端部から突出する引っ掛け突部を更に備え、
前記被取付体に取り付けられる際に前記引っ掛け突部が前記被取付体に引っ掛かること。
（４）  上記（３）のフラットケーブル取付部材において、
前記複数の係止片が、前記基部の幅方向の両側面のうち前記基端部の配置されている側面に向かって前記基部の長さ方向の一端部側の前記先端部の側縁に、前記引っ掛け突部を有すること。
（５）  上記（２）〜（４）のいずれかのフラットケーブル取付部材において、
前記複数の係止片は、それらの先端部が前記基部の厚さ方向の両側面の他方の延長方向と交差する方向に延長するように、曲がった形を有し、そして
前記基部の厚さ方向の両側面の他方に対して前記複数の係止片の先端部各々が形成する角度が鈍角であること。
（６）  上記（２）〜（５）のいずれかのフラットケーブル取付部材において、
前記複数の係止片の先端部が鋭角に先細りしていること。
（７）  上記（２）〜（６）のいずれかのフラットケーブル取付部材において、
前記電線係止突起は前記爪部の突出する向きが前記フラットケーブルの長手方向に沿って交互に逆向きとなるように前記基部上に並んで配置されていること。
（８）  上記（２）〜（７）のいずれかのフラットケーブル取付部材において、
前記複数の係止片が被取付体よりも硬い金属により形成されていること。
（９）  上記（２）〜（８）のいずれかのフラットケーブル取付部材において、
前記複数の係止片が、前記基部の幅方向の両側面上それぞれに間隔をあけて並べられていること。
【００１１】
上記（２）の構成のフラットケーブル取付部材は、基部の厚さ方向の両側面の一方上に形成された複数の電線係止突起の先端部に、フラットケーブルを係止するための部分として、爪部が設けられており、電線係止突起のうち少なくとも一つがフラットケーブルのブリッジ部に形成された孔を貫通して爪部をフラットケーブルから突出させるとともにフラットケーブルが爪部と基部の厚さ方向の両側面の一方との間で係止されるようにフラットケーブルに取り付けられた状態で、複数の係止片の先端部を被取付体に穴を形成するように突き刺しながら取り付けられるので、被取付体に突起や貫通孔等を予め設ける必要がなく、フラットケーブルを被取付体の任意の部分に且つ容易に取り付けることができる。また、フラットケーブル取付部材が取り付けられていないフラットケーブルの部分は曲げることが容易であるため、被取付体上でフラットケーブルの曲げを要する配索作業が容易なものとなる。また、フラットケーブル取付部材は、複数の係止片によって被取付体に取り付けられるので、取り付けが容易であるにも拘わらず、しっかりと確実に取り付けることができる。また、フラットケーブル取付部材は、フラットケーブルに予め設けられた孔の位置でフラットケーブルと係合し、フラットケーブルを被取付体の所定の位置に取り付けることができるため、フラットケーブルの被取付体に対する取り付け精度を高めることができる。
上記（３）の構成のフラットケーブル取付部材によれば、その複数の係止片の先端部がそれぞれ側方に突出する引っ掛け突部を備えるので、先端部を被取付体に突き刺しながら被取付体に取り付けると、引っ掛け突部が被取付体に引っ掛かる。これにより、フラットケーブル取付部材の被取付体からの脱落が確実に防止され、換言すれば、フラットケーブルの被取付体からの脱落が確実に防止される。
上記（４）の構成のフラットケーブル取付部材によれば、引っ掛け突部は、複数の係止片が基部の幅方向の両側面のうち係止片の基端部が配置されている側面に向かって基部の長さ方向の一端部側の係止片の先端部の側縁に形成されているので、フラットケーブルを基部の上方に向けて折り返すように略Ｕ字状に曲げていくことにより、複数の係止片を被取付体から容易に取り外すことができる。従って、リサイクルのための、フラットケーブル取付部材と被取付体との分解作業が容易となる。
上記（５）の構成のフラットケーブル取付部材によれば、複数の係止片の先端部が基部の厚さ方向の両側面の他方の延長方向と交差する方向に延長するように複数の係止片が曲げられているので、例えば、基部の厚さ方向の一側面を被取付体と対向させた際に複数の係止片の先端部が被取付体に向けて延長されるようにフラットケーブル取付部材を構成すれば、フラットケーブル取付部材の被取付体への取り付けの際に基部の厚さ方向の一側面を被取付体と対向させながら被取付体に向けて基部の厚さ方向の他側面を押すことにより、フラットケーブル取付部材を被取付体に容易に取り付けることができる。
その上、上記（５）の構成のフラットケーブル取付部材によれば、その複数の係止片の先端部各々が基部の厚さ方向の側面に対して鈍角に形成されているので、係止片を被取付体に突き刺しながら取り付けたとき、係止片の先端部が被取付体を貫通して突き出ないようにすることもできる。従って、このように係止片の先端部が被取付体を貫通して突き出ないように構成した場合、被取付体の裏面側に配置される部材は係止片の先端部で損傷を受ける虞がない。
上記（６）の構成のフラットケーブル取付部材によれば、その複数の係止片の先端部が鋭角に先細りしているので、比較的弱い力で被取付体に突き刺すことができ、被取付体への取り付け作業が容易となる。
上記（７）の構成のフラットケーブル取付部材では、電線係止突起は爪部の突出する向きがフラットケーブルの長手方向に沿って交互に逆向きとなるように基部上に並んで配置されているので、爪部と基部の厚さ方向の両側面の一方との間でのフラットケーブルの係止が解除され難い（換言すれば、フラットケーブル取付部材からフラットケーブルが外れ難い）ので好ましい。
上記（８）の構成のフラットケーブル取付部材によれば、その複数の係止片が被取付体よりも硬い金属により形成されているので、係止片を被取付体に突き刺すとき、係止片が曲がる虞がなく、容易に突き刺すことができる。従って、フラットケーブル取付部材の被取付体への取り付け作業が容易となる。
上記（９）の構成のフラットケーブル取付部材によれば、その複数の係止片が基部の両側面上それぞれに間隔をあけて並べられているので、より確実に被取付体へ取り付けることができる。
【発明の効果】
【００１２】
本発明によれば、フラットケーブルの被取付体への取り付け作業および被取付体からの取り外し作業を容易にし、且つ、被取付体に突起や貫通孔等を予め設ける必要がない。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態を図１〜図８を参照しながら詳細に説明する。尚、本発明に係るフラットケーブル取付部材が取り付けられるフラットケーブルとしては、上述したように、例えば、ＦＦＣ、リボン電線、等といった可撓性を有する本体を備えたものが例示される。ここでは、本発明に係るフラットケーブル取付部材の一実施形態としてＦＦＣに取り付けられる形態のフラットケーブル取付部材を説明する。
【００１５】
図１は本発明に係るフラットケーブル取付部材の一実施形態とフラットケーブルとの係合直前の状態を示す斜視図、図２は図１のフラットケーブル取付部材とフラットケーブルとを係合した状態を示す斜視図、図３は図２に示されるフラットケーブルと係合したフラットケーブル取付部材が被取付体に取り付けられる直前の状態を示す斜視図、図４は図３に示されるフラットケーブルと係合したフラットケーブル取付部材が被取付体に取り付けられた状態を示す斜視図、図５は図３の状態のフラットケーブル付きフラットケーブル取付部材の正面図、図６は図４の状態のフラットケーブル付きフラットケーブル取付部材の正面図、図７（ａ）〜（ｃ）は本発明に係るフラットケーブル取付部材の一実施形態の電線係止突起を説明するためのフラットケーブル取付部材の模式図、そして図８は図４および図６の状態のフラットケーブル付きフラットケーブル取付部材の被取付体からの取り外し方を説明するためのフラットケーブル付きフラットケーブル取付部材の側面図である。
【００１６】
図１〜図８に示されるように、フラットケーブル取付部材３０は、矩形板状の基部３１と、基部３１の一面｛基部３１の厚さ方向の両側面（即ち、基部３１の厚さ方向と交差する両側面）の一方｝３１ａから突出し、且つフラットケーブル１０を係止するための爪部３２ａが形成された先端部を有する複数の電線係止突起３２と、基部３１の幅方向の両側面から斜めに突出するように基部３１と一体成形された基端部を有する複数の係止片３３と、を有している。基部３１の平坦な他面｛基部３１の厚さ方向の両側面（即ち、基部３１の厚さ方向と交差する両側面）の他方｝３１ｂを基準とした際に、係止片３３の高さは電線係止突起３２の高さの略２倍以上である。
【００１７】
フラットケーブル１０は、導体および該導体の外周面を被覆する絶縁外皮からなる複数（本例では３つ）の電線部１１と、それら電線部１１を平行にそれらの絶縁外皮間を繋ぐように当該絶縁外皮に一体的に形成された複数（本例では２つ）のブリッジ部１３と、該ブリッジ部１３の長手方向に沿った打ち抜きにより当該ブリッジ部１３に形成された２つのスリット状の孔１２と、を有する。フラットケーブル１０の絶縁外皮およびブリッジ部１３は、より詳細には、予め等間隔に平行に並列された３つの導体の長手方向に押し出しながら電気絶縁性の合成樹脂を該導体に一体成形することで形成される。孔１２は、フラットケーブル１０を被取付体２０に正確に取り付けるために、予め設定された位置に設けられている。孔１２の長さは、基部３１の長さ方向に沿って配置された電線係止突起３２のうち基部３１の長さ方向の両端部に位置する電線係止突起３２の外側面間の長さに等しいか或いは僅かに大きい。
【００１８】
フラットケーブル取付部材３０は、図２および図３に示されるように、電線係止突起３２がフラットケーブル１０の孔１２を貫通して爪部３２ａをフラットケーブル１０から突出させるとともにフラットケーブル１０が爪部３２ａと基部３１の一面３１ａとの間で係止されるようにフラットケーブル１０に取り付けられた状態で、図４に示されるように複数の係止片３３の先端部（３３ａ）それぞれを被取付体２０の取付面に穴を形成するように突き刺すことによりフラットケーブル１０を被取付体２０に取り付ける。尚、フラットケーブル１０の孔１２を貫通する電線係止突起３２が一つであってもフラットケーブル１０を係止できるのであれば構わない。
【００１９】
基部３１の幅方向に直交する方向（即ち、基部３１の長さ方向と平行な方向）に整列する各列３つずつの電線係止突起３２は、同じ方向に爪部３２ａを有している。より詳細には、奇数列目の電線係止突起３２は、全て同一方向に爪部３２ａを有し、そして偶数列目の電線係止突起３２は、奇数列目の電線係止突起３２の爪部３２ａとは全て逆方向に爪部３２ａを有している。図７（ａ）は、奇数列目の電線係止突起３２を示し、そして図７（ｂ）は、偶数列目の電線係止突起３２を示している。また、基部３１の長さ方向の一端部を該長さ方向に見た際に、奇数列目の電線係止突起３２の立設位置と、偶数列目の電線係止突起３２の立設位置とはズレており、これらを合わせると、図７（ｃ）に示されるように、基部３１の面３１ａと爪部３２ａを含む電線係止突起３２とで区画される空間が形成される。この空間には、後述するように、フラットケーブル１０の電線部１１が収納される。
【００２０】
複数の係止片３３は、基部３１の幅方向の両側面（即ち、基部３１の幅方向と交差する両側面）それぞれから突出しながら該両側面上で間隔をあけて並べられるように、係止片３３の基端部が基部３１と一体成形、より具体的には、複数の係止片３３と基部３１と電線係止突起３２とは合成樹脂で一体成形されている。各係止片３３は、被取付体２０（後述）の材質よりも硬い材質の金属により形成されているが、被取付体２０（後述）を突き刺せる硬さを有する材料であれば、金属製ではなく例えば合成樹脂製であってもよい。要するに、各係止片３３は、被取付体２０（後述）を突き刺せるものであれば何でもよいが、金属製であれば被取付体２０（後述）を安定して突き刺せるので好ましい。尚、係止片３３に金属片を用いる場合は、基部３１および電線係止突起３２を合成樹脂で成形する際に、係止片３３の基端部が樹脂中に埋設されるようにする。
【００２１】
複数の係止片３３は、図１に示されるように、基部３１の幅方向の両側面上それぞれから間隔をあけて突設されていてもよいが、フラットケーブル取付部材３０の仕様（即ち、被取付体２０（後述）への取り付け仕様或いは取り外し仕様）に応じて、例えば、基部３１の幅方向の両側面の一方上に複数の係止片３３を間隔をあけて並べ、そして他方の側面上に一つの係止片３３を配置するようにしてもよい。また、複数の係止片３３は、必ずしも基部３１の長手方向に所定の間隔をあけて連続して配置される必要はなく、フラットケーブル取付部材３０の被取付体２０への取り付け或いは取り外しを考慮して、基部３１の要部に分散配置してもよい。
【００２２】
図５に示されるように、各係止片３３は、その先端部３３ａが基部３１の厚さ方向の両側面の他方（即ち、基部３１の厚さ方向と交差する側面）３１ｂの延長方向（即ち、側面３１ｂに平行な方向）と交差する方向に延長するように、曲げられており、各係止片３３と基部３１の側面３１ｂとの成す角度は、鈍角となっている（同様に、各係止片３３と、基部３１の厚さ方向の両側面の一方との成す角度も鈍角である）。
【００２３】
各係止片３３の先端部３３ａは、その先端に向かうにつれて鋭角に先細りする形状を有する。この先端部３３ａの先端形状は、先端部３３ａが被取付体２０（後述）を突き刺すことができれば、先細り形状でなくともよい。また、各係止片３３の先端部３３ａには、その長手方向と交差する方向に先端部３３ａの側縁から突出する引っ掛け突部３３ｂが形成されている。この引っ掛け突部３３ｂの突出方向は、係止片３３の長手方向と交差する方向であれば特に限定されない。
【００２４】
但し、複数の引っ掛け突部３３ｂは、複数の係止片３３が基部３１の幅方向の両側面のうち基端部の配置されている側面に向かって基部３１の長さ方向の一端部側の係止片３３の先端部３３ａの側縁に形成されることが望ましい。例えば、図１の手前に見える基部３１の側面上に並んで配置されている複数の係止片３３について言えば、これらの係止片３３は、それらが配置されている側面に向かって基部３１の長さ方向の一端部側（例えば、図１では基部３１の右斜め上側）の先端部３３ａの側縁に、引っ掛け突部３３ｂを有する。
【００２５】
このように引っ掛け突部３３ｂが複数の係止片３３の先端部３３ａにそれぞれ形成されていることにより、被取付体２０に取り付けられたフラットケーブル取付部材３０を取り外す際に取り外し作業が容易となる。これについては、以下に説明する。
【００２６】
被取付体２０の材質は、各係止片３３の先端部３３ａを被取付体２０に穴を形成しながら突き刺して固定できる材質であればどのようなものであってもよい。被取付体２０を形成する材料としては、好適には、例えば、発泡ウレタン、ポリウレタンフォーム、発泡スチロール樹脂、紙、コルク材、フェルト、等が挙げられる。
【００２７】
次に、フラットケーブル取付部材３０を用いて行なうフラットケーブル１０の被取付体２０への取り付けおよび取り外しについて説明する。
【００２８】
フラットケーブル１０の被取付体２０への取り付けは、（Ｉ）まずフラットケーブル取付部材３０をフラットケーブル１０に係合し、そして（ＩＩ）そのフラットケーブル１０に取り付けられたフラットケーブル取付部材３０を被取付体２０に取り付ける、という手順で行なわれる。
【００２９】
フラットケーブル取付部材３０をフラットケーブル１０と係合するために、図７（ａ）および図７（ｂ）のそれぞれに示す３つ（実際には４行）の電線係止突起３２の内、中央寄りの２つ（実際には千鳥状で２行）の電線係止突起３２をフラットケーブル１０の２つの孔１２に差込み、電線係止突起３２の爪部３２ａをフラットケーブル１０から露出させる。そうすると、図５に示すように、フラットケーブル１０の各電線部１１は、面３１ａと電線係止突起３２とで区画される空間（図７（ｃ）参照。）に収容され、フラットケーブル取付部材３０から外れなくなる。その結果、フラットケーブル取付部材３０とフラットケーブル１０とは確実に係合される。
【００３０】
次に、フラットケーブル１０に結合されたフラットケーブル取付部材３０を被取付体２０に取り付ける。このとき、フラットケーブル取付部材３０は、図５に示されるように、取り付けられたフラットケーブル１０が被取付体２０の取付け面に対向するように被取付体２０の上に配置され、その後、図５に示される矢印方向に押圧される。これにより、図６に示されるように、複数の係止片３３の先端部３３ａは被取付体２０に穴を新たに形成しながら突き刺さり、複数の係止片３３が外側へ拡げられながら被取付体２０に喰い込んでいき、そして最終的には電線係止突起３２の先端面が被取付体２０の取付け面に接触する。このように、フラットケーブル取付部材３０が被取付体２０に取り付けられる（換言すれば、フラットケーブル１０が被取付体２０に取り付けられる）。
【００３１】
フラットケーブル取付部材３０は、フラットケーブル１０の決められた位置に係止されているため、フラットケーブル取付部材３０を被取付体２０の指定位置に固定することにより、フラットケーブル１０を被取付体２０に精度良く取り付けることができる。
【００３２】
被取付体２０よりも硬い金属からなる係止片３３は、先端部３３ａが鋭角の先細り形状を有しているので、フラットケーブル取付部材３０を被取付体２０に取り付ける際、換言すれば、係止片３３の先端部３３ａを被取付体２０に突き刺す際に、係止片３３に座屈が生じる虞がなく、比較的小さな力で簡単に突き刺すことができる。尚、各係止片３３の曲がった部分の内側面上に基端部側から先端部３３ａ側へ延長する補強突条を立設し、各係止片３３を補強すると、更に、座屈が生じる虞がなく、比較的小さな力で簡単に突き刺すことができるので好ましい。
【００３３】
また、複数の係止片３３が被取付体２０に穴を開けながら突き刺さると、複数の係止片３３の先端部３３ａの引っ掛け突部３３ｂが、被取付体２０の穴を画成する内周面に引っ掛かり、係止片３３が被取付体２０から抜け出すことが阻止され、これにより、フラットケーブル取付部材３０が確実に被取付体２０に固定される。
【００３４】
また、係止片３３は、基部３１の面３１ｂと鈍角を成すように曲げられているので、フラットケーブル取付部材３０を被取付体２０に取り付けたとき、先端部３３ａが被取付体２０を貫通して被取付体２０の裏面から突出することはない。従って、被取付体２０へのフラットケーブル取付部材３０の取り付け時に、係止片３３の先端部３３ａで被取付体２０の裏面に配置された部材に損傷を与えることが防止される。
【００３５】
尚、基部３１の面３１ｂと係止片３３との成す角度は、フラットケーブル取付部材３０を取り付ける被取付体２０の厚さに合わせた角度に設定すればよい。例えば、被取付体２０の厚さが薄い場合、角度を大きい角度とすることにより、先端部３３ａが被取付体２０を貫通しないようにできる。
【００３６】
次に、フラットケーブル取付部材３０の被取付体２０からの取り外し方について説明する。被取付体２０からフラットケーブル取付部材３０を取り外すときは、図８に示されるように、フラットケーブル１０を引っ掛け突部３３ｂの突出方向に略Ｕ字形に曲げ、フラットケーブル１０をやや斜め上方に引き上げる。こうすると、引っ掛け突部３３ｂが被取付体２０に引っ掛からずに、係止片３３が被取付体２０の穴から抜けて、フラットケーブル取付部材３０が被取付体２１から外れる。従って、リサイクル等の際に容易に被取付体２０とフラットケーブル取付部材３０とを分解することができる。
【００３７】
このように、このフラットケーブル取付部材３０を用いることにより、フラットケーブル１０を被取付体２０に簡単に取り付けることができる。そのため、例えば、被取付体２０がルーフライナー等である場合でも、フラットケーブル１０を組み付ける作業等の作業性が向上する。また、被取付体２０に取り付けたフラットケーブル１０を、被取付体２０から短時間で、また、傷つけずに外すことができる。そのため、車両等の解体作業や修理作業の作業性が向上し、また、資源の有効利用を図ることができる。また、フラットケーブル取付部材３０の使用により、フラットケーブル１０の取り付け位置精度を高めることができる。また、フラットケーブル取付部材３０は、一体成形により容易に製造することができる。
【００３８】
以上、説明したように、フラットケーブル取付部材３０は、矩形板状の基部３１の厚さ方向の両側面３１ａ，３１ｂの一方３１ａ上に形成された複数の電線係止突起３２の先端部に、フラットケーブル１０を係止するための部分として、爪部３２ａが設けられており、電線係止突起３２のうち少なくとも一つがフラットケーブル１０のブリッジ部１３に形成された孔１２を貫通して爪部３２ａをフラットケーブル１０から突出させるとともにフラットケーブル１０が爪部３２ａと基部３１の厚さ方向の両側面３１ａ，３１ｂの一方３１ａとの間で係止されるようにフラットケーブル１０に取り付けられた状態で、複数の係止片３３の先端部３３ａを被取付体２０に穴を形成するように突き刺しながら取り付けられるので、被取付体２０に突起や貫通孔等を予め設ける必要がなく、被取付体２０の任意の部分に且つ容易に取り付けることができる。また、フラットケーブル取付部材３０が取り付けられていないフラットケーブル１０の部分は曲げることが容易であるため、被取付体２０上でフラットケーブル１０の曲げを要する配索作業が容易なものとなる。また、フラットケーブル取付部材３０は、複数の係止片３３によって被取付体２０に取り付けられるので、取り付けが容易であるにも拘わらず、しっかりと確実に取り付けることができる。また、フラットケーブル取付部材３０は、フラットケーブル１０に予め設けられた孔１２の位置でフラットケーブル１０と係合し、フラットケーブル１０を被取付体２０の所定の位置に取り付けることができるため、フラットケーブル１０の被取付体２０に対する取り付け精度を高めることができる。
【００３９】
また、フラットケーブル取付部材３０では、その複数の係止片３３の先端部３３ａがそれぞれ側方に突出する引っ掛け突部３３ｂを備えるので、先端部３３ａを被取付体２０に突き刺しながら被取付体２０に取り付けると、引っ掛け突部３３ｂが被取付体２０に引っ掛かる。これにより、フラットケーブル取付部材３０の被取付体２０からの脱落が確実に防止され、換言すれば、フラットケーブル１０の被取付体２０からの脱落が確実に防止される。
【００４０】
また、フラットケーブル取付部材３０では、引っ掛け突部３３ｂは、複数の係止片３３が基部３１の幅方向の両側面のうち係止片３３の基端部が配置されている側面に向かって基部３１の長さ方向の一端部側の係止片３３の先端部３３ａの側縁に形成されている｛換言すれば、引っ掛け突部３３ｂはフラットケーブル１０の延長方向（即ち、長手方向）に沿って一方向に係止片３３の先端部３３ａからそれぞれ突出するように形成されている｝ので、フラットケーブル１０を基部３１の上方に向けて折り返すように略Ｕ字状に曲げていくことにより、複数の係止片３３を被取付体２０から容易に取り外すことができる。従って、リサイクルのための、フラットケーブル取付部材３０と被取付体２０との分解作業が容易となる。
【００４１】
また、フラットケーブル取付部材３０では、その複数の係止片３３の先端部３３ａ各々が基部３１の厚さ方向の両側面３１ａ，３１ｂの他方３１ｂに対して鈍角に形成されているので、係止片３３を被取付体２０に突き刺しながら取り付けたとき、係止片３３の先端部３３ａが被取付体２０を貫通して突き出ないようにすることができる。従って、被取付体２０の裏面側に配置される部材は係止片３３の先端部３３ａで損傷を受ける虞がない。
【００４２】
また、フラットケーブル取付部材３０では、その複数の係止片３３の先端部３３ａが鋭角に先細りしているので、比較的弱い力で被取付体２０に突き刺すことができ、被取付体２０への取り付け作業が容易となる。
【００４３】
また、フラットケーブル取付部材３０では、その複数の係止片３３が基部３１の幅方向の両側面上それぞれに間隔をあけて並べられているので、より確実に被取付体２０へ取り付けることができる。
【００４４】
また、フラットケーブル取付部材３０では、電線係止突起３２は爪部３２ａの突出する向きがフラットケーブル１０の長手方向に沿って交互に逆向きとなるように基部３１上に並んで配置されているので、爪部３２ａと基部３１の厚さ方向の両側面３１ａ，３１ｂの一方３１ａとの間でのフラットケーブル１０の係止が解除され難い（換言すれば、フラットケーブル取付部材３０からフラットケーブル１０が外れ難い）。
【００４５】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００４６】
例えば、上記実施形態では、複数の係止片３３の先端部３３ａに側方に突出する引っ掛け突部３３ｂをそれぞれ設けたが、本発明は、これに限定されることなく、フラットケーブル取付部材３０を被取付体２０に固定できる十分な保持力が得られるのであれば、複数の係止片３３の先端部３３ａに引っ掛け突部３３ｂを設けなくともよい。つまり、複数の係止片３３の先端部３３ａを、引っ掛け突部３３ｂがそれぞれ除かれるとともに、先端に向かうにつれて先細りした形状としてもよい。また、引っ掛け突部３３ｂが形成された先端部３３ａを有する係止片３３と、引っ掛け突部３３ｂが除かれた先端部３３ａを有する係止片３３と、を備えたフラットケーブル取付部材３０としてもよいことは言うまでもない。
【００４７】
また、上記実施形態では、基部３１の厚さ方向の両側面３１ａ，３１ｂの一方３１ａを被取付体２０と対向させた際に複数の係止片３３の先端部３３ａが被取付体２０に向けて延長されるように複数の係止片３３が曲げられているが、これに限定されず、例えば、複数の係止片３３が曲げられていない形態、即ち、先端部３３ａが基部３１の厚さ方向の両側面３１ａ，３１ｂと平行な方向に延長される形態であってもよい。即ち、係止片３３の曲げられる方向、換言すれば、先端部３３ａの向きは、個々に、被取付体２０の配置場所や形状に応じて適宜設定される。但し、上記実施形態のように複数の係止片３３が曲げられていれば、フラットケーブル取付部材３０の被取付体２０への取り付けの際に基部３１の厚さ方向の両側面３１ａ，３１ｂの一方３１ａを被取付体２０と対向させながら、被取付体２０に向けて基部３１の厚さ方向の両側面３１ａ，３１ｂの他方３１ｂ（即ち、側面３１ａとは反対側の基部３１の側面３１ｂ）を押すことにより、フラットケーブル取付部材３０を被取付体２０に容易に取り付けることができるので好ましい。また、このように被取付体２０に取り付けられたフラットケーブル取付部材３０は、被取付体２０からの取り外しも容易である。
【００４８】
本発明のフラットケーブル取付部材は、車両内へのワイヤーハーネスの配索等に幅広く利用することができる。
【図面の簡単な説明】
【００４９】
【図１】本発明に係るフラットケーブル取付部材の一実施形態とフラットケーブルとの係合直前の状態を示す斜視図である。
【図２】図１のフラットケーブル取付部材とフラットケーブルとを係合した状態を示す斜視図である。
【図３】図２に示されるフラットケーブルと係合したフラットケーブル取付部材が被取付体に取り付けられる直前の状態を示す斜視図である。
【図４】図３に示されるフラットケーブルと係合したフラットケーブル取付部材が被取付体に取り付けられた状態を示す斜視図である。
【図５】図３の状態のフラットケーブル付きフラットケーブル取付部材の正面図である。
【図６】図４の状態のフラットケーブル付きフラットケーブル取付部材の正面図である。
【図７】（ａ）〜（ｃ）は本発明に係るフラットケーブル取付部材の一実施形態の電線係止突起を説明するためのフラットケーブル取付部材の模式図である。
【図８】図４および図６の状態のフラットケーブル付きフラットケーブル取付部材の被取付体からの取り外し方を説明するためのフラットケーブル付きフラットケーブル取付部材の側面図である。
【符号の説明】
【００５０】
１０      フラットケーブル
１１      電線部
１２      孔
１３      ブリッジ部
２０      被取付体
３０      フラットケーブル取付部材
３１      フラットケーブル取付部材の基部
３１ａ    基部の厚さ方向の両側面の一方
３１ｂ    基部の厚さ方向の両側面の他方
３２      電線係止突起
３２ａ    爪部
３３      係止片
３３ａ    係止片の先端部
３３ｂ    引っ掛け突部
【図１】
2007074804.tif 000003
【図２】
2007074804.tif 000004
【図３】
2007074804.tif 000005
【図４】
2007074804.tif 000006
【図５】
2007074804.tif 000007
【図６】
2007074804.tif 000008
【図７】
2007074804.tif 000009
【図８】
2007074804.tif 000010